(57)【特許請求の範囲】
【請求項１】
コンピュータを、
利用者が使用する端末である送信元から電子付箋情報を受け付けてから、前記送信元からの送信時より人間の短期記憶が失われる時間経過後以降のある時点で、次第に減少していく送信確率に従って、前記電子付箋情報を表示処理する送信先へ送信するように、前記電子付箋情報を前記送信先へ送信する時間を遅延させることにより前記利用者の匿名性を高める遅延手段として機能させるための匿名性管理プログラム。
【請求項２】
前記電子付箋情報が送信されるまでにダミーの電子付箋情報を前記送信先に送信するダミー付箋送信手段としてさらに機能させる請求項１に記載の匿名性管理プログラム。
【請求項３】
前記電子付箋情報の個人情報を削除又は変換して匿名化する匿名化手段としてさらに機能させる請求項１又は２に記載の匿名性管理プログラム。
【請求項４】
前記電子付箋情報に手書き文字が含まれる場合、当該手書き文字をテキスト化するテキスト化手段としてさらに機能させる請求項１−３のいずれか１項に記載の匿名性管理プログラム。
【請求項５】
利用者が使用する端末である送信元から電子付箋情報を受け付けてから、前記送信元からの送信時より人間の短期記憶が失われる時間経過後以降のある時点で、次第に減少していく送信確率に従って、前記電子付箋情報を表示処理する送信先へ送信するように、前記電子付箋情報を前記送信先へ送信する時間を遅延させることにより前記利用者の匿名性を高める遅延手段を有する匿名性管理装置。
【請求項６】
利用者が使用する端末である送信元から電子付箋情報を受け付けてから、前記送信元からの送信時より人間の短期記憶が失われる時間経過後以降のある時点で、次第に減少していく送信確率に従って、前記電子付箋情報を表示処理するように、前記電子付箋情報を表示処理するまでの時間を遅延させることにより前記利用者の匿名性を高める遅延手段を有する電子付箋管理装置。
【発明の詳細な説明】
【技術分野】
【０００１】
本発明は、匿名性管理プログラム、匿名性管理装置及び電子付箋管理装置に関する。
【背景技術】
【０００２】
従来の技術として、文書中の固有名を開示相手に合わせたレベルで変名にする匿名性管理装置が提案されている（例えば、特許文献１参照）。
【０００３】
特許文献１に開示された匿名性管理装置は、文書を受け付けると、文書中の固有名を抽出してタグ付けし、開示する相手に合わせて予め設定された開示レベルを参照して、当該開示レベルに合わせて文書中の固有名を変名に変換し、文書からタグを外す等の後処理をして出力する。
【先行技術文献】
【特許文献】
【０００４】
【特許文献１】特開２００６−９２０３７号公報
【発明の概要】
【発明が解決しようとする課題】
【０００５】
本発明の目的は、電子付箋の表示について匿名性を管理する匿名性管理プログラム、匿名性管理装置及び電子付箋管理装置を提供することにある。
【課題を解決するための手段】
【０００６】
本発明の一態様は、上記目的を達成するため、以下の匿名性管理プログラム、匿名性管理装置及び電子付箋管理装置を提供する。
【０００７】
［１］コンピュータを、
利用者が使用する端末である送信元から電子付箋情報を受け付けてから、前記送信元からの送信時より人間の短期記憶が失われる時間経過後以降のある時点で、次第に減少していく送信確率に従って、前記電子付箋情報を表示処理する送信先へ送信するように、前記電子付箋情報を前記送信先へ送信する時間を遅延させることにより前記利用者の匿名性を高める遅延手段として機能させるための匿名性管理プログラム。
［２］前記電子付箋情報が送信されるまでにダミーの電子付箋情報を前記送信先に送信するダミー付箋送信手段としてさらに機能させる前記［１］に記載の匿名性管理プログラム。
［３］前記電子付箋情報の個人情報を削除又は変換して匿名化する匿名化手段としてさらに機能させる前記［１］又は［２］に記載の匿名性管理プログラム。
［４］前記電子付箋情報に手書き文字が含まれる場合、当該手書き文字をテキスト化するテキスト化手段としてさらに機能させる前記［１］−［３］のいずれかに記載の匿名性管理プログラム。
［５］利用者が使用する端末である送信元から電子付箋情報を受け付けてから、前記送信元からの送信時より人間の短期記憶が失われる時間経過後以降のある時点で、次第に減少していく送信確率に従って、前記電子付箋情報を表示処理する送信先へ送信するように、前記電子付箋情報を前記送信先へ送信する時間を遅延させることにより前記利用者の匿名性を高める遅延手段を有する匿名性管理装置。
［６］利用者が使用する端末である送信元から電子付箋情報を受け付けてから、前記送信元からの送信時より人間の短期記憶が失われる時間経過後以降のある時点で、次第に減少していく送信確率に従って、前記電子付箋情報を表示処理するように、前記電子付箋情報を表示処理するまでの時間を遅延させることにより前記利用者の匿名性を高める遅延手段を有する電子付箋管理装置。
【発明の効果】
【０００８】
請求項１、５又は６に係る発明によれば、電子付箋の表示について匿名性を管理することができる。
請求項２に係る発明によれば、電子付箋情報が送信されるまでにダミーの電子付箋情報を送信先に送信することができる。
請求項３に係る発明によれば、電子付箋情報の個人情報を削除又は変換することができる。
請求項４に係る発明によれば、電子付箋情報に手書き文字が含まれる場合、当該手書き文字をテキスト化することができる。
【図面の簡単な説明】
【０００９】
【図１】図１は、実施の形態に係る電子付箋管理システムの構成の一例を示す概略図である。
【図２】図２は、実施の形態に係る匿名性管理サーバの構成例を示すブロック図である。
【図３】図３は、匿名性管理サーバの動作を説明するためのグラフ図及び概略図である。
【図４】図４は、匿名性管理サーバの動作例を示すフローチャートである。
【発明を実施するための形態】
【００１０】
［実施の形態］
（電子付箋管理システムの構成）
図１は、実施の形態に係る電子付箋管理システムの構成の一例を示す概略図である。
【００１１】
この電子付箋管理システム６は、匿名性管理サーバ１と、電子付箋管理サーバ２と、端末３ａ、３ｂ、３ｃ、３ｄとをネットワークによって互いに通信可能に接続することで構成される。端末３ａ、３ｂ、３ｃ、３ｄは、それぞれ利用者４ａ、４ｂ、４ｃ、４ｄによって操作されて電子付箋情報を生成するものであり、例えばタブレット端末である。
【００１２】
送信元としての端末３ａ、３ｂ、３ｃ、３ｄから送信先としての電子付箋管理サーバ２に電子付箋情報が送信され、電子付箋管理サーバ２によって情報が処理されることにより電子付箋表示部２１ａは電子付箋等を表示する。また、書類表示部２１ｂは書類の内容等を表示する。電子付箋表示部２１ａ及び書類表示部２１ｂはタッチパネル等で構成され管理者５によって操作される。
【００１３】
上記構成において、利用者４ａ−４ｄ及び管理者５は同室にいて会議をする場合について以下説明する。利用者４ａ−４ｄが端末３ａ−３ｄを操作して自己の意見等を記載した電子付箋を作成すると、端末３ａ−３ｄは匿名性管理サーバ１を介して電子付箋管理サーバ２へ電子付箋情報を送信する。なお、匿名性管理サーバ１は利用者４ａ−４ｄから匿名化を要求されている場合、電子付箋管理サーバ２へ電子付箋情報を送信する前に電子付箋情報の匿名化及び送信の遅延処理等を行う。電子付箋管理サーバ２は電子付箋情報を受け付けると電子付箋表示部２１ａに表示処理する。管理者５は電子付箋表示部２１ａを操作して表示された電子付箋の位置を変更したりして、会議を進行する。
【００１４】
匿名性管理サーバ１は、サーバ型の情報処理装置であり、端末３ａ、３ｂ、３ｃ、３ｄの要求に応じて動作するものであって、本体内に情報を処理するための機能を有するＣＰＵ（Ｃｅｎｔｒａｌ  Ｐｒｏｃｅｓｓｉｎｇ  Ｕｎｉｔ）やフラッシュメモリ等の電子部品を備える。
【００１５】
電子付箋管理サーバ２は、サーバ型の情報処理装置であり、端末３ａ、３ｂ、３ｃ、３ｄの要求に応じて動作するものであって、本体内に情報を処理するための機能を有するＣＰＵやフラッシュメモリ等の電子部品を備える。
【００１６】
端末３ａ、３ｂ、３ｃ、３ｄは、タブレット端末等の装置であって、本体内に情報を処理するための機能を有するＣＰＵやフラッシュメモリ等の電子部品を備える。
【００１７】
ネットワークは、高速通信が可能な通信ネットワークであり、例えば、イントラネットやＬＡＮ（Ｌｏｃａｌ  Ａｒｅａ  Ｎｅｔｗｏｒｋ）等の有線又は無線の通信網である。
【００１８】
なお、匿名性管理サーバ１の構成は、電子付箋管理サーバ２に含めるものであってもよい。
【００１９】
（匿名性管理装置の構成）
図２は、実施の形態に係る匿名性管理サーバ１の構成例を示すブロック図である。
【００２０】
匿名性管理サーバ１は、ＣＰＵ等から構成され、各部を制御するとともに、各種のプログラムを実行する制御部１０と、フラッシュメモリ等の記憶媒体から構成され情報を記憶する記憶部１１と、ネットワークを介して外部と通信する通信部１２とを備える。
【００２１】
制御部１０は、後述する匿名性管理プログラム１１０を実行することで、付箋情報受付手段１００、匿名化手段１０１、テキスト化手段１０２、送信遅延手段１０３、ダミー付箋送信手段１０４及び個人情報追跡手段１０５等として機能する。
【００２２】
付箋情報受付手段１００は、端末３ａ−３ｄから電子付箋情報を受け付ける。また、電子付箋情報とともに匿名化の要求の有無を示す情報を受け付ける。
【００２３】
匿名化手段１０１は、匿名化の要求が「有」の場合、付箋情報受付手段１００が受け付けた電子付箋情報を匿名化する。匿名化手段１０１は、匿名化のため、一例として、電子付箋情報に付随するユーザＩＤ等の個人情報を削除し、代わりに電子指紋を付与する。なお、削除した個人情報は付与した電子指紋に関連付けて個人情報１１１として記憶部１１に格納する。また、個人情報を削除する他、会議に参加している利用者に予め設定された開示レベルに応じて個人情報を変換してもよい。変換の例としては、イニシャル化、ニックネーム化の他、付箋を作成した利用者の在住地域や所属組織・部門など、利用者の属性情報の一部を抜き出して表示したり、書き込み順を表す通し番号を付与するなどの方法及びこれらを組み合わせた方法が挙げられる。
【００２４】
テキスト化手段１０２は、匿名化の要求が有りの場合に、付箋情報受付手段１００が受け付けた電子付箋情報に含まれる手書き文字をＯＣＲ（Ｏｐｔｉｃａｌ  Ｃｈａｒａｃｔｅｒ  Ｒｅｃｏｇｎｉｔｉｏｎ）等によりテキスト化する。
【００２５】
送信遅延手段１０３は、匿名化の要求が有りの場合に、付箋情報受付手段１００が受け付けた電子付箋情報であって、匿名化手段１０１及びテキスト化手段１０２によって処理された電子付箋情報の、電子付箋管理サーバ２に送信するタイミングを遅延させる。遅延させる時間は、一例として、人間の短期記憶時間を考慮して３０秒より長いものとする。なお、遅延させる時間は、会議の状況等によって短期記憶の時間が変動する場合は、これに合わせて変動させるものであってもよい。
【００２６】
ダミー付箋送信手段１０４は、電子付箋表示部２１ａに電子付箋が貼られていない場合や、貼られていても数が少ない場合等、タイミングを遅延させても匿名性を守れないと考えられる場合、付箋情報受付手段１００が受け付けた電子付箋情報を電子付箋管理サーバ２に送信する前に、ダミーの付箋を生成し、電子付箋管理サーバ２に送信して電子付箋表示部２１ａに表示する。なお、ダミーの付箋を表示するタイミングは、電子付箋情報がいずれの利用者から送信されたものか特定できないようにするものであれば、電子付箋情報の送信前に限らず、送信と同時であってもよいし、送信前であってもよい。
【００２７】
個人情報追跡手段１０５は、管理者５等により匿名化された電子付箋情報の個人情報の参照要求があった場合に、参照要求のあった電子付箋情報の電子指紋に基づいて該当する個人情報を個人情報１１１から追跡する。
【００２８】
記憶部１１は、制御部１０を上述した各手段１００−１０５として動作させる匿名性管理プログラム１１０、個人情報１１１等を記憶する。
【００２９】
（匿名性管理装置の動作）
次に、本実施の形態の作用を説明する。
【００３０】
図３は、匿名性管理サーバ１の動作を説明するためのグラフ図及び概略図である。また、図４は、匿名性管理サーバ１の動作例を示すフローチャートである。
【００３１】
まず、利用者４ａ−４ｄは、図３の「１．付箋送信」に示すように、端末３ａ−３ｄを操作して自己の意見等を記載した電子付箋を作成し、送信ボタンを操作する。端末３ａ−３ｄは、匿名性管理サーバ１を介して電子付箋管理サーバ２へ電子付箋情報を送信する。この電子付箋情報の送信タイミングをｔ＝ｔ１とする。
【００３２】
次に、付箋情報受付手段１００は、端末３ａ−３ｄから電子付箋情報を受け付ける。また、電子付箋情報とともに匿名化の要求の有無を示す情報を受け付ける。
【００３３】
ここで、匿名化手段１０１は、匿名化の要求が「有」の場合（Ｓ１；Ｙｅｓ）、付箋情報受付手段１００が受け付けた電子付箋情報を匿名化する（Ｓ２）。匿名化手段１０１は、図３の「２−１．匿名化、テキスト化」に示すように、匿名化のため電子付箋情報に付随するユーザＩＤ等の個人情報を削除し、代わりに電子指紋を付与する。
【００３４】
また、匿名化手段１０１は、削除した個人情報は付与した電子指紋に関連付けて個人情報１１１として記憶部１１に格納する（Ｓ３）。
【００３５】
次に、テキスト化手段１０２は、図３の「２−１．匿名化、テキスト化」に示すように、付箋情報受付手段１００が受け付けた電子付箋情報に含まれる手書き文字をＯＣＲ等によりテキスト化する（Ｓ４）。
【００３６】
次に、ダミー付箋送信手段１０４は、電子付箋表示部２１ａに電子付箋が貼られていない場合（Ｓ５；Ｙｅｓ）、その他、貼られていても数が少ない場合等、電子付箋情報を貼り付けるタイミングを遅延させても匿名性を守れないと考えられる場合、付箋情報受付手段１００が受け付けた電子付箋情報を電子付箋管理サーバ２に送信する前（時刻ｔ＝ｔ１より前）に、図３の「２−２．ダミー貼付」に示すように、ダミーの付箋を生成し、電子付箋管理サーバ２に送信して電子付箋表示部２１ａに表示する（Ｓ６）。
【００３７】
なお、ダミー付箋の内容としては、会議の内容に関連した情報にするといった方法が考えられる。例えば、会議の議題を表すキーワードに関連したWebページの検索結果に関する情報などを表示する。また、連続して開催される会議の場合であれば、前回の会議での決定事項や指示事項、主要な要旨に関する情報、今回の会議で検討する議事事項などをダミー付箋として表示する。他の例として、会議の議題キーワードに即した情報分析の結果を表示することなども考えられる。このように、ダミー付箋に会議の内容に関連した情報を表示することによって、付箋の貼り付け枚数が少ない時点での匿名性を守りながら、会議参加者による発言や情報整理に役立つという効果が期待できる。
【００３８】
次に、送信遅延手段１０３は、図３の「３．付箋貼付」に示すように、電子付箋情報の電子付箋管理サーバ２に送信するタイミングを遅延させ（Ｓ７）、電子付箋表示部２１ａに表示する（貼り付ける）（Ｓ８）。遅延させる時間、つまりｔ２−ｔ１は、一例として、人間の短期記憶時間を考慮して３０秒より長いものとする。また、時刻ｔ２以降の送信する確率Ｐは、図３のグラフ図に示すように、時刻ｔ２以降で減少していくものを採用できる。時刻ｔ２以降で減少していくものとしては、一例として、χ二乗分布に従ったものが挙げられる。これは、利用者が操作してから電子付箋情報が表示される期間が、短期記憶時間よりは長くしたいが、あまりに長すぎると情報伝達の観点からタイミングを逸する等、支障が出るためである。
【００３９】
なお、その後、管理者５等により匿名化された電子付箋情報の個人情報の参照要求があった場合、個人情報追跡手段１０５は、参照要求のあった電子付箋情報の電子指紋に基づいて該当する個人情報を個人情報１１１から追跡し、管理者５に提示する。
【００４０】
［他の実施の形態］
なお、本発明は、上記実施の形態に限定されず、本発明の趣旨を逸脱しない範囲で種々な変形が可能である。
【００４１】
例えば、上記実施の形態は閉じた空間で特定多数の利用者を対象とした会議を例に説明したが、街頭等の開いた空間において不特定多数の利用者が電子付箋情報を送信するような場合についても適用できる。この場合、利用者がある程度多数であって、いずれの利用者が操作したか判別しづらい状況においては、貼付のタイミングを遅延しなくてもよい。
【００４２】
また、匿名性管理サーバ１と電子付箋管理サーバ２とを一体としてもよいし、一方の機能の一部を他方によって実現するものであってもよい。また、匿名性管理サーバ１と電子付箋管理サーバ２とを一体にした場合（匿名性管理サーバ１の機能を実現する手段を電子付箋管理サーバ２に組み込んだ場合）、送信遅延手段１０３は送信を遅延させるものではなく、電子付箋表示部２１ａに対する表示を遅延させる手段に置き換えられる。また、ダミー付箋送信手段１０４についても送信を遅延させるものではなく、電子付箋表示部２１ａに対する表示を遅延させる手段に置き換えられる。
【００４３】
上記実施の形態では制御部１０の各手段１００〜１０５の機能をプログラムで実現したが、各手段の全て又は一部をＡＳＩＣ等のハードウエアによって実現してもよい。また、上記実施の形態で用いたプログラムをＣＤ−ＲＯＭ等の記録媒体に記憶して提供することもできる。また、上記実施の形態で説明した上記ステップの入れ替え、削除、追加等は本発明の要旨を変更しない範囲内で可能である。
【符号の説明】
【００４４】
１     匿名性管理サーバ
２     電子付箋管理サーバ
３ａ−３ｄ    端末
４ａ−４ｄ    利用者
５     管理者
６     電子付箋管理システム
１０   制御部
１１   記憶部
１２   通信部
２１ａ 電子付箋表示部
２１ｂ 書類表示部
１００ 付箋情報受付手段
１０１ 匿名化手段
１０２ テキスト化手段
１０３ 送信遅延手段
１０４ ダミー付箋送信手段
１０５ 個人情報追跡手段
１１０ 匿名性管理プログラム
１１１ 個人情報
【図１】
0006528417.tif 000002
【図２】
0006528417.tif 000003
【図３】
0006528417.tif 000004
【図４】
0006528417.tif 000005